(57)【要約】【課題】  乳房内部の乳管洞を強く圧迫し、母乳の搾乳効率を向上させること。【解決手段】  乳当て部の内側にアダプタ４０を配置する。アダプタ４０は、内周部に乳首挿入部４４を有すると共に、外周部に乳当て部に取り付けるための取付け部４２を有し、乳首挿入部４４と取付け部４２との間にテーパ部４１を介在させた弾性材料からなる。アダプタ４０のテーパ部４１の内面に、負圧発生時に乳房と密着する中実状の突起部４３を形成し、アダプタ４０を乳房に密着させて形成される空間で負圧の発生と解除とを交互に繰り返して母乳を搾り出す。【選択図】図１
2007075293.tif 000002
【特許請求の範囲】
【請求項１】
乳当て部を有する搾乳ヘッドと、乳当て部の内側に配置され、内周部に乳首挿入部を有すると共に、外周部に乳当て部に取り付けるための取付け部を有し、乳首挿入部と取付け部との間にテーパ部を介在させた弾性材料からなるアダプタとを備え、アダプタを乳房に密着させて形成される空間で負圧の発生と解除とを交互に繰り返して母乳を搾り出す搾乳器において、
アダプタのテーパ部の内面に、負圧発生時に乳房と密着する中実状の突起部を形成したことを特徴とする搾乳器。
【請求項２】
アダプタに、負圧発生時に搾乳ヘッドと当接するストッパ部を設けた請求項１に記載の搾乳器。
【請求項３】
搾乳ヘッドに、負圧発生時にアダプタと当接するストッパ部を設けた請求項１記載の搾乳器。
【発明の詳細な説明】
【技術分野】
【０００１】
本発明は、母乳を搾るための搾乳器に関し、より詳しくは、乳当て部の内側に装着されるアダプタを備えた搾乳器に関するものである。
【背景技術】
【０００２】
従来の搾乳器として、例えは図９に示すように、搾乳した母乳を溜める母乳容器１０と、母乳容器１０の開口部に取付けられる搾乳ヘッド２０と、搾乳器内部に負圧を発生させる負圧発生手段３０とを主要な構成要素として備える搾乳器本体に、乳房との接触を密にするアタプタ４０をオプションとして付加したものがある。
【０００３】
搾乳ヘッド２０は、硬質樹脂等の剛性体からなり、母乳容器１０の開口部１１に取付けられる有蓋筒状のヘッド本体２１と、ヘッド本体２１から斜め上方へ向かって延在する管状のネック２２と、ネック２２の先端に略円すい状に拡開した乳当て部２３とを有する。使用者の乳房形状には個人差があることから、乳当て部２３の内面には、乳房との接触を密にするためのアダプタ４０を装着することもできる（特許文献１参照）。
【０００４】
図示例では、負圧発生手段３０として、搾乳ヘッド２０にゴムチューブ３１を介して中空状のゴム球３２を取付けた手動式のものを示している。ゴムチューブ３１とゴム球３２は、硬質樹脂製のコネクタ３３を介して接続してある。負圧発生手段には種々の形式があり、図示例のようなゴム球３２を使用するものの他、例えばシリンダを使用するものも知られている。また、これら手動式の負圧発生手段のみならず、ダイヤフラムポンプ等を使用した電動式のものも存在する。
【０００５】
中空状のゴム球３２を握って圧縮した状態で乳当て部２３を乳房で閉塞し、中空状のゴム球３２を解放して元の形状に復帰させると、搾乳器本体の内部空間に負圧が発生する。負圧の発生により、乳首及びその周辺部がアダプタ４０の小径側開口部からネック２２の方向へ吸引される。中空状のゴム球３２の圧縮と解放により、搾乳器本体内部にて負圧の発生と解除を交互に繰り返すと、乳腺から分泌された母乳を溜める乳管洞に対して刺激が断続的に付与され、母乳が搾り出される。
【特許文献１】実公昭３６−４９３号公報
【発明の開示】
【発明が解決しようとする課題】
【０００６】
特許文献１に記載されたアダプタ４０には、図１０に示すように、指頭の太さに相当する大きさおよび数の突起部４３が設けられている。この突起部４３で乳房を押圧し、器体を左右に動揺することにより、乳房が指圧されてもむような作用が得られるため、乳の搾り出し作用が助長される。
【０００７】
ところで、負圧発生時のアダプタ４０は、吸引力によってネック２２側に引き込まれ、全体的に伸張する方向に変形する。特許文献１記載の突起部４３は、その外面側を凹ませた中空状に形成されているため、かかるアダプタ４０の変形に伴って突起部４３もその突出高さを減じるように変形する。そのため、実際の使用状況では、突起部４３から乳房に与えられる刺激が不十分となる傾向にある。
【０００８】
本発明はかかる事情に鑑み創案されたものであって、その目的は、母乳の搾乳効率を向上させた搾乳器を提供することにある。
【課題を解決するための手段】
【０００９】
本題明に係る搾乳器は、乳当て部を有する搾乳器本体と、乳当て部の内側に配置され、内周部に乳首挿入部を有すると共に、外周部に乳当て部に取り付けるための取付け部を有し、乳首挿入部と取付け部との間にテーパ部を介在させた弾性材料からなるアダプタとを備え、アダプタを乳房に密着させて形成される空間で負圧の発生と解除とを交互に繰り返して母乳を搾り出す搾乳器において、アダプタのテーパ部の内面に、負圧発生時に乳房と密着する中実状の突起部を形成したものである。
【００１０】
上記の搾乳器では、負圧発生時の吸引力で乳房がアダプタの内面に密着する。この時、ゴム（エラストマも含む）や樹脂等の弾性材料からなるアダプタは乳房との密着状態を保持して搾乳器本体側に引き込まれるように僅かに変形する。この変形時にもアダプタのテーパ部に設けられた突起部は中実状であり、剛性に富むから、その変形程度は少なく突出高さもほぼ負圧発生前の状態に保持される。従って、負圧発生時には突起部が乳房に強く密着してピンポイントに圧迫力を付与する。この際、突起部はほとんど変形しないので皮膚のほぼ法線方向、つまり乳管洞周辺あるいはその奥部に向けて圧迫力を付与することができる。従って、負圧の発生と解除を交互に繰り返せば、高い搾乳効果が得られる。
【００１１】
アダプタに、負圧発生時に搾乳器本体と当接するストッパ部を設けるのが望ましい。これにより、負圧発生時には、ストッパ部が搾乳器本体と当接することで負圧吸引力によるそれ以上のアダプタの変形が抑制される。そのため、負圧の発生時と解除時の突起部の変位が抑制され、突起部の変位による圧迫ポイントや圧迫方向の変動が減少する。従って、搾乳効果をさらに高めることができる。
【００１２】
これとは反対に、搾乳器本体に、負圧発生時にアダプタと当接するストッパ部を設けても同様の効果を得ることができる。
【発明の効果】
【００１３】
本発明によれは、乳房が突起部から受ける圧迫力が適確かつ適正なものとなるので、搾乳効果をさらに高めることができる。
【発明を実施するための最良の形態】
【００１４】
以下、図面を参照しつつ本発明の実施形態について説明する。
【００１５】
図１は、本発明を適用した搾乳器の第１実施形態を示す縦断面図である。この搾乳器は、母乳容器１０、搾乳ヘッド２０、負圧発生手段３０、アダプタ４０を主要な構成要素として備える。なお、図中の符号５０は逆止弁で、母乳容器１０及び搾乳ヘッド２０の相互間に介在させ、搾乳ヘッド２０から母乳容器１０への流体移動のみを許容する。また、符号６０はスタンドで、母乳容器１０を倒れないように立設させるためのものである。母乳容器１０及び負圧発生手段３０については、従来例と同じものを使用しているので、従来例と同一部位には同一符号を付して、これらの詳しい説明を省略する。
【００１６】
搾乳ヘッド２０は、母乳容器１０の開口部１１に螺合するヘッド本体２１と、ヘッド本体２１から斜め上方へ向かって延在する管状のネック２２と、ネック２２の先端に略円すい状に拡開して形成された乳当て部２３とを一体に有する。この実施形態のヘッド本体２１は、上下両端が開口した筒状に形成され、上端開口部がキャップ２４によって閉塞されている。キャップ２４には、ゴムチューブ３１をヘッド本体２１の内部と連通可能に接続するための接続部２５と、負圧発生手段３０によって搾乳ヘッド２０内に発生させた負圧を解除する負圧解除手段２６とを設けてある。ヘッド本体２１とキャップ２４との間には、伸縮可能な弾性体からなる仕切り膜２７を介在させてある。
【００１７】
ヘッド本体２１は、下端部に母乳容器１０の雄ねじ部１２に対して螺合する雌ねじ部２１ａを有する。搾乳ヘッド２０の内部が負圧発生手段３０によって加圧されると、搾乳ヘッド２０内の母乳および空気が逆止弁５０を通って母乳容器１０へ送られる。母乳は母乳容器１０に溜められ、空気は母乳容器１０とヘッド本体２１のねじ嵌合部を通って排気される。ヘッド本体２１の側壁にはネック２２との連通口２１ｂを設けてある。ヘッド本体２１の上部外周面には、キャップ２４を着脱自在に取付けるための複数の環状溝２１ｃを設けてある。ヘッド本体２１の上部環状端面には、仕切り膜２７を嵌合させる嵌合溝２１ｄを設けてある。
【００１８】
ネック２２は、搾乳された母乳が母乳容器１０へと自然に流れていくように、ヘッド本体２１から斜め上方へ延在させてある。この実施形態のネック２２は、先端側に乳首を挿入可能な管状に形成された大径部２２ａを有し、基端側に大径部２２ａの上部を切欠いた形状の小径部２２ｂを有する。大径部２２ａと小径部２２ｂの境界部分には、乳首から飛沫状態で飛散する母乳を受けるための壁部２２ｃが乳首と対向するように形成される。ネック２２に小径部２２ｂを設けることで、ヘッド本体２１の小型化を図りつつヘッド本体２１に外嵌されるキャップ２４がネック２２に干渉するのを回避している。なお、ヘッド本体２１を小型にしない場合やヘッド本体２１とキャップ２４を一体に成形してある場合は、ネック２２を基端部から先端部まで大径部２２ａと同径の管状に形成し、連通口２１ｂをネック２２よりも小径に形成することで、ヘッド本体２１の外周面であってネック２２内に位置する部分が壁部２２ｃと同じ役割を果たす（例えは図９参照）。
【００１９】
乳当て部２３は、アダプタ４０を装着しなくても標準的な大きさの乳房にフィットする略円すい形状とされる。略円すい形状には、図示のような母線が直線状である円すい形状のみならす、母線が曲線状である形状も含まれる。乳当て部２３の大径側端部には、フランジ２３ａを半径方向外側に向かって設けてある。
【００２０】
キャップ２４は、ヘッド本体２１の上端開口部に仕切り膜２７を介して外嵌され、仕切り膜２７を着脱自在にするために、ヘッド本体２１と別体に構成されている。キャップ２４は天板２４ａを有し、天板２４ａの下面周縁部とヘッド本体２１の嵌合溝２１ｄとの間に弾性体からなる仕切り膜２７を扶持する。キャップ２４の周壁部２４ｂの内面には、ヘッド本体２１の嵌合溝２１ｃに嵌合させる複数の突起部２４ｃを設けてある。天板２４ａの中央部には、中空状のドーム部２４ｄを上方へ向かって突設してある。ドーム部２４ｄには、接続部２５と、連通手段２６を構成する筒部２６ａとを設けてある。
【００２１】
接続部２５は、キャップ２４に穿設された孔の周縁部から突設した円筒状で、ゴムチューブ３１の一端に内嵌される。この実施形態では、接続部２５を上方に向かって延設してある。
【００２２】
連通手段２６は、キャップ２４に突設した筒部２６ａにゴム製キャップ２６ｂを被着した構成とされる。筒部２６ａは、接続部２５と同様に、キャップ２４に穿設された孔の周縁部から突設した円筒状の突起である。筒部２６ａの基端部には周溝２６ｃを設けてある。ゴム製キャップ２６ｂは有底筒状に形成され、その内面には周溝２６ｃに係合させる突条２６ｄを設けてある。ゴム製キャップ２６ｂは、その内底部と筒部２６ａの先端開口部との間に隙間が形成されるように装着される。ゴム製キャップ２６ｂには通気孔２６ｅを設けてある。ゴム製キャップ２６ｂは、その内面が筒部２６ａの外周面に密着するように装着され、通気孔２６ｅが筒部２６ａの外周囲によって閉塞される。ゴム製キャップ２６ｂの外底部を筒部２６ａの先端側へ押圧してゴム製キャップ２６ｂを弾性変形させると、ゴム製キャップ２６ｂの内周囲が筒部２６ａの外周面から離れて筒部２６ａの先端開口部と通気孔２６ｅとを連通させる。
【００２３】
仕切り膜２７は、母乳が接続部２５からゴムチューブ３１を介してゴム球３２に吸い込まれるのを防止するために、搾乳ヘッド２０の内部を、乳当て部２３から母乳容器１０へ母乳を送り込むための第１の空間Ｓ１と、接続部２５に通じた第２の空間Ｓ２とに区画するものである。この仕切り膜２７により、搾乳された母乳は全て母乳容器１０に供給され、負圧発生手段３０側に移動することはないので、搾乳器の衛生性を高めることがきる。
【００２４】
仕切り膜２７は、ヘッド本体２１内に突出するカップ部２７ａと、カップ部２７ａの上部から半径方向外側に設けた環状フランジ２７ｂとを有する。環状フランジ２７ｂはヘッド本体２１の嵌合溝２１ｄに嵌合するように下向きに凸になっている。図では、環状フランジ２７ｂがヘッド本体２１とキャップ２４によって扶持圧縮されて、環状フランジ２７ｂの上側端面とヘッド本体２１の上部端面がフラットになっている状態を示している。仕切り膜２７の環状フランジ２７ｂを弾性圧縮させつつヘッド本体２１とキャップ２４に密着させることで、第１の空間Ｓ１と第２の空間Ｓ２の気密性が担保される。仕切り膜２７は、伸縮自在の弾性材料、特に母乳に臭いが付着しないように無臭性の弾性材料（例えはシリコンゴムなど）で構成することが好ましい。
【００２５】
アダプタ４０は、乳当て部２３よりも底角の小さい両端開口のテーパ部４１と、テーパ部４１の大径側端部に形成された取付け部４２とを有する。この取付け部４２は、乳当て部２３のフランジ２３ａに嵌合するように、テーパ部４１の大径側端部を外側に折り返した形状をなす。テーパ部４１の略円すい状内面には、複数（例えは４つ）の中実状の突起部４３が周方向に等間隔で突設されている。図示例では、テーパ部４１の外面は、突起部４３の形成領域も含めて凹凸のない平坦面である。突起部４３の表面は、テーパ部４１から段差を介して立ち上がった部分球面に近似した形状とされ、テーパ部４１の小径側開口部の近傍に配置される。乳当て部２３との関係では、突起部４３を、乳当て部２３の小径側開口縁よりも外径側に設けてある。テーパ部４１の小径側端部には、ネック２２よりも小径の乳首挿入部４４が筒状に設けられており、その先端は、乳当て部２３とネック２２の境界部付近に位置している。第１の空間Ｓ１が負圧解除状態（常圧状態）である場合、アダプタ４０は、取付け部４２を除き、乳当て部２３およびネック２２に対して非接触状態にある。
【００２６】
逆止弁５０は、母乳容器１０の開口部１１と搾乳ヘッド２０のヘッド本体２１の相互間に介在させる。この実施形態の逆止弁５０は、母乳容器１０の開口部１１に嵌合する弾性体からなるカップ部材５１と、カップ部材５１の底部に装着される剛性体からなる環状板部材５２とを備える。カップ部材５１は、母乳容器１０の開口部１１の内径よりも小径のカップ状に形成され、底部中央に略Ｕ宇状に切欠いて形成される舌片５３を設けてある。図中の符号５３ａは舌片５３の周回に形成されるＵ宇状の孔の一部である。舌片５３は、環状板部材５２の下面側に密着して環状板部材５２の中央部に設けた通孔５４を閉塞する一方、搾乳ヘッド２０側からの加圧により環状板部材５２から離れて通孔５４を開口させる。また、カップ部材５１の上縁部には、半径方向外側に向かって母乳容器１０の上部環状面に停止させるフランジ５５を設けてある。フランジ５５の下面側には半径方向に延びる複数の通気溝５６を設けてある。通気溝５６は、内径側が母乳容器１０内に、外径側が母乳容器１０と搾乳ヘッド２０の非気密状態のねじ嵌合部に連通している。これにより母乳容器１０の内部は、通気溝５６、及び母乳容器１０と搾乳ヘッド２０のネシ嵌合部を介して外部と連通し、大気圧に維持される。フランジ５５の上面は搾乳ヘッド２０のヘッド本体２１に密着させて第１の空間Ｓ１の密封性を担保している。
【００２７】
本発明の搾乳器は上記の如く構成され、アダプタ４０の乳首挿入部４４に乳首が入るようにテーパ部４１を乳房に押し当てて乳当て部２３を閉塞した状態で、ゴム球３２を圧縮・解放すると、第１の空間Ｓに負圧が発生する。詳しくは、ゴム製キャップ２６ｂを押圧して第２の空間Ｓ２を外部に連通させた状態で、ゴム球３２を握って圧縮させると、ゴム球３２内の空気がゴムチューブ３１を通って第２の空間Ｓ２に流入し、連通手段２６から外部へ排出される。ゴム製キャップ２６ｂを解放して通気孔２６ｅを閉塞してからゴム球３２を解放し、元の形状に弾性復帰させると、第２の空間Ｓ２内の空気がゴム球３２に吸い込まれ、仕切り膜２７が縮小状態となる（カップ部２７ａの側面が蛇腹状に変形し、その底部が上昇する）。アタプタ４０のテーパ部４１を乳房に押し当てて乳当て部２３を閉塞するのは、仕切り膜２７を縮小させる前でも縮小させた後でもいずれでも構わない。
【００２８】
仕切り膜２７の縮小に伴い、第１の空間Ｓ１の容積が膨張するので、空間Ｓ１内に負圧が発生する。この負圧発生と同時に、逆止弁５０の舌片５３が吸引されて環状板部材５２に密着して第１の空間Ｓ１が密封される。
【００２９】
ゴム球３２を軽く握って再度押し潰すと、第２の空間Ｓ２が加圧されて仕切り膜２７が元の形状に膨らむ。これにより、第２の空間Ｓ２を介して第１の空間Ｓ１に発生させた負圧が解除されるので、乳房及びテーパ部４１は負圧吸引力から解放され、テーパ部４１が弾性収縮により元の形状に復帰する。
【００３０】
以後、ゴム球３２の膨張・収縮操作を繰り返すことにより、第１の空間Ｓ１で負圧の発生と解除とが交互に繰り返され、これによるアダプタ４０の変形および弾性復帰で乳房がマッサージされる。第１の空間Ｓ１での負圧発生時には、乳房と密着したテーパ部４１が乳房と共に負圧吸引力でネック２２に向けて引き込まれ、これに伴って図２の破線位置から実線位置に変形する。負圧発生時には、テーパ部４１と乳房が強く密着するので、図３に示すように、中実状の突起部４３が乳房Ａの乳首周辺に押し当てられ、この部分で皮膚がその法線方向に圧迫される。これにより乳管洞Ｂ、さらにはその奥の乳腺葉にかけての領域に刺激が与えられるため、母乳がスムーズに搾り出される。この際、突起部４３は、剛性の高い中実状であるから、負圧発生時の引き込み力によるアダプタ４０の変形時にも突起部４３の形状が大きく崩れることはなく、従って、突起部４３からの刺激により高い搾乳効果を得ることができる。
【００３１】
搾り出された母乳が乳首から飛沫状態で飛散しても、この飛沫は乳首挿入部４４の内面又はネック２２の壁部２２ｃに当って滴下し、ネック２２の内底部を流下してヘッド本体２１に流入する。万一、母乳が飛沫状態でヘッド本体２１に流入しても、搾乳ヘッド２０の内部を仕切り膜２７によって第１の空間Ｓ１と第２の空間Ｓ２に区画してあるので、飛沫が負圧発生手段３０に吸い込まれることはない。第１の空間Ｓ１の負圧を解除した際に、逆止弁５０の舌片５３が通孔５４を開口させるので、母乳は、搾乳ヘッド２０から母乳容器１０へ流れ落ちる。
【００３２】
図４は、本発明を適用した搾乳器の第２実施形態を示す要部拡大縦断面図である。この搾乳器は、アダプタ４０を除く他の構成要素が第１実施形態の搾乳器と同じ構成であるため、図４では、これらの構成要素の図示を省略している。以下、第１実施形態の搾乳器との相違点を中心にして第２実施形態の搾乳器を説明する。
【００３３】
第２実施形態におけるアダプタ４０は、図４に示すように、テーパ部４１の略円すい状内面に略球面状をなす複数の突起部４３をテーパ部４１の周方向に等間隔で突設してある。テーパ部４１の外面には、乳当て部２３に当接させてテーパ部４１の小径側端部の変位を抑制するためのストッパ部４５ｂを設けてある。図示例のストッパ部４５ｂは、乳首挿入部４４と平行に延びる棒状をなし、テーパ部４１の外面の円周方向一箇所または複数箇所に形成されている。図示のように、負圧解除状態では、ストッパ部４５ｂの先端とテーパ部４１との間に微小な隙間を形成するのが望ましい。
【００３４】
上述のように、負圧発生時にはアダプタ４０がネック２２に引き込まれるが、この引き込み力が強い場合、アダプタが過度に変形し、例えばテーパ部４１の外面全体が乳当て部２３に接触する場合もある。これでは突起部４３周辺でのテーパ部４１の傾斜角度が水平に近くなるため、突起部４３による圧迫力の作用線が乳管洞よりも乳首側（図３において図面左側）に移り、搾乳効果の低下を来たすおそれがある。これに対し、図示のようにストッパ部４５ｂを設ければ、負圧発生時にアダプタ４０がネック２２側に引き込まれた際にも、図５に示すように、ストッパ部４５ｂが乳当て部２３に当接し、それ以上のアダプタ４０の変形が抑制される。従って、負圧発生後も突起部４３による圧迫力の作用線を乳房の奥部（乳管洞付近）に向けることができ、高い搾乳効果が維持される。
【００３５】
ストッパ部４５ｂの形状は任意であり、例えば図示は省略するが突起部４３に準じた略球面状に形成することもできる。この他、例えば図６（Ａ）（Ｂ）に示すように、ストッパ部４５ｂを円筒状に形成することもできる。この場合、ストッパ部４５ｂが乳当て部２３に当接した際、テーパ部４１と乳当て部２３の間の空間で、かつストッパ部４５ｂよりも大径側の空間が第１の空間Ｓ１から遮断されないように、同図（Ａ）のように、ストッパ部４５ｂの先端に切欠き４６ａを設ける、あるいは同図（Ｂ）のように、ストッパ部４５ｂに通気孔４６ｂを設ける等の手段で、通気性を確保するのが望ましい。
【００３６】
また、ストッパ部４５ｂの形成位置は突起部４３の変形を抑制できる限り任意であり、上記のように突起部４３の内径側にストッパ部４５ｂを形成する他、突起部４３の外径側にストッパ部４５ｂを形成することもできる。さらには、ストッパ部４５ｂをアダプタ４０のテーパ部４１に形成する他、図７に示すように、乳首挿入部４４に形成することもできる。この場合、ストッパ部４５ｂは、円筒状の乳首挿入部４４の半径方向外側に向けて突出させる。
【００３７】
以上の説明では、ストッパ部４５ｂをアダプタ４０側に設けた場合を例示しているが、図１０（Ａ）に示すように、乳当て部２３側にストッパ部２８ｂを設けることも可能である。また、同図（Ｂ）（Ｃ）に示すように、乳当て部２３とアダプタ４０のそれぞれにストッパ部２８ｂ、４５ｂをそれぞれ設けることもできる。このうち、同図（Ｂ）は、アダプタ４０のテーパ部４１とこれに対向する乳当て部２３のテーパ状内面にストッパ部２８ｂ、４５ｂを設けた例、同図（Ｃ）は、ネック２２と乳首挿入部４４のそれぞれにストッパ部を設けた例である。
【００３８】
以上、本発明に係る搾乳器の実施形態について説明したが、本発明は上記各実施形態に限定されることなく本発明の要旨を逸脱しない範囲内で種々の変形が可能である。例えは上記実施形態では搾乳器の基本的な楕成要素である搾乳ヘッド２０に仕切り膜２７を設けたり、母乳容器１０と搾乳ヘッド２０の間に逆心弁５０を設けているが、仕切り膜２７や逆止弁５０を具備しない搾乳器にも適用可能である。また、負圧発生手段３０としては、ゴムチューブ３１及びゴム球３２を備えた手動式のものに限らす、電動式のものを採用することもてきる。さらに、母乳容器１０と搾乳ヘッド２０を一体成形した搾乳器にも適用可能である。このように本発明は、略円すい状に拡開した乳当て部２３を有する搾乳器であれは、如何なるものにも適用することができる。
【図面の簡単な説明】
【００３９】
【図１】本発明に係る搾乳器の縦断面図である。
【図２】アダプタおよびその周辺部分の縦断面図である。
【図３】実際の使用状況におけるアダプタの縦断面図である。
【図４】負圧解除状態におけるアダプタを示す縦断面図である。
【図５】負圧発生状態におけるアダプタを示す縦断面図である。
【図６】アダプタの他の実施形態を示す縦断面図である。
【図７】アダプタの他の実施形態を示す縦断面図である。
【図８】本発明の他の実施形態を示す縦断面図である。
【図９】従来の搾乳器の一例を示す縦断面図である。
【図１０】従来の搾乳器におけるアダプタの構成例を示す縦断面図である。
【符号の説明】
【００４０】
１０    母乳容器
１１    開口部
１２    雄ねじ部
２０    搾乳ヘッド
２１    ヘッド本体
２２    ネック
２２ａ  大径部 
２２ｂ  小径部
２２ｃ  壁部
２３    乳当て部
２３ａ  フランジ
２４    キャップ
２５    接続部
２６    連通手段
２６ｂ  ゴム製キャップ
２６ｅ  通気孔
２７    仕切り膜
２８ｂ  ストッパ部
３０    負圧発生手段
３１    ゴムチューブ
３２    ゴム球
３３    コネクタ
４０    アダプタ
４１    テーパ部
４２    取付け部
４３    突起部
４４    乳首挿入部
４５ｂ  ストッパ部
５０    逆止弁
５１    カップ部材
５２    環状板部材
５３    舌片
５４    通孔
５５    フランジ
５６    通気溝
６０    スタンド
Ｓ１    第１の空間
Ｓ２    第２の空間
【図１】
2007075293.tif 000003
【図２】
2007075293.tif 000004
【図３】
2007075293.tif 000005
【図４】
2007075293.tif 000006
【図５】
2007075293.tif 000007
【図６】
2007075293.tif 000008
【図７】
2007075293.tif 000009
【図８】
2007075293.tif 000010
【図９】
2007075293.tif 000011
【図１０】
2007075293.tif 000012